(57)【要約】  本出願は、充電装置のテストボード、テストシステム及びテスト方法を提供し、テストボードは、充電装置と負荷モジュールとにそれぞれ接続される接続回路であって、前記充電装置が前記接続回路を介して前記負荷モジュールとテスト回路を形成するようにする接続回路と、上位コンピュータと通信する第１の通信モジュールと、前記充電装置と通信する第２の通信モジュールと、前記第１の通信モジュールと第２の通信モジュールとに接続され、前記第１の通信モジュールを介して前記上位コンピュータによって送信された命令情報を受信し、前記テストボード又は前記充電装置が前記テスト命令を実行するように、前記命令情報に基づいて対応するテスト命令を生成する制御モジュールと、を含むことによって、自動テストを実現することができ、操作が簡単になり、時間と労力が節約され、テスト全体に係る時間を短縮することができる。
2021502042.tif 000002
【特許請求の範囲】
【請求項１】
充電装置のテストボードであって、
充電装置と負荷モジュールとにそれぞれ接続される接続回路であって、前記充電装置が前記接続回路を介して前記負荷モジュールとテスト回路を形成するようにする接続回路と、
上位コンピュータと通信する第１の通信モジュールと、
前記充電装置と通信する第２の通信モジュールと、
前記第１の通信モジュールと第２の通信モジュールとに接続され、前記第１の通信モジュールを介して前記上位コンピュータによって送信された命令情報を受信し、前記テストボード又は前記充電装置がテスト命令を実行するように、前記命令情報に基づいて対応する前記テスト命令を生成する制御モジュールと、を含む、
ことを特徴とする充電装置のテストボード。
【請求項２】
前記テストボード又は前記充電装置が前記テスト命令を実行した後、前記制御モジュールは、前記充電装置の状態情報を取得し、前記充電装置の状態情報に基づいて前記テスト命令のテスト結果を決定し、前記上位コンピュータに前記テスト結果を送信する、
ことを特徴とする請求項１に記載の充電装置のテストボード。
【請求項３】
前記テストボード又は前記充電装置が前記テスト命令を実行した後、前記制御モジュールは、前記充電装置の状態情報を取得し、前記上位コンピュータが前記充電装置の状態情報に基づいて前記テスト命令のテスト結果を決定するように、前記上位コンピュータに前記充電装置の状態情報を送信する、
ことを特徴とする請求項１に記載の充電装置のテストボード。
【請求項４】
前記制御モジュールが前記テスト命令を実行する場合、前記テスト命令に基づいて指示された異常状態をシミュレーションし、前記充電装置の作動状態情報を採集し、前記作動状態情報は、前記充電装置が保護状態に進入したか否かを示すものである、
ことを特徴とする請求項１〜３のいずれかに記載の充電装置のテストボード。
【請求項５】
前記充電装置が前記テスト命令を実行する場合、前記制御装置は、前記第２の通信モジュールを介して前記充電装置に前記テスト命令を送信し、前記充電装置の出力状態情報を採集し、前記出力状態情報は、前記充電装置が前記テスト命令に基づいて作動する際の出力状態を示すものである、
ことを特徴とする請求項１〜３のいずれかに記載の充電装置のテストボード。
【請求項６】
前記接続回路は、第１の電源線と第２の電源線とを含み、
前記第１の電源線は、一端が前記負荷モジュールの正極に接続され、他端が前記充電装置の正の電源線に接続され、
前記第２の電源線は、一端が前記負荷モジュールの負極に接続され、他端が前記充電装置の負の電源線に接続される、
ことを特徴とする請求項１に記載の充電装置のテストボード。
【請求項７】
前記接続回路は、前記第１の電源線又は前記第２の電源線に直列接続されるスイッチングトランジスタをさらに含み、前記スイッチングトランジスタの制御極は、前記制御モジュールに接続され、前記制御モジュールは、スイッチングトランジスタのオン又はオフを制御することによって前記充電装置から前記負荷モジュールへのテスト回路のオン又はオフを制御する、
ことを特徴とする請求項６に記載の充電装置のテストボード。
【請求項８】
前記接続回路は、前記第１の電源線又は前記第２の電源線に直列接続されるサンプリング抵抗をさらに含み、前記サンプリング抵抗の両端は、前記制御モジュールにさらに接続される、
ことを特徴とする請求項６に記載の充電装置のテストボード。
【請求項９】
前記負荷モジュールは電子負荷を含み、
前記制御モジュールは外部電源に接続されて、前記外部電源が前記制御モジュールに電力を供給するようにする、
ことを特徴とする請求項１に記載の充電装置のテストボード。
【請求項１０】
前記負荷モジュールはプログラマブル電源であり、前記プログラマブル電源はさらに前記制御モジュールに電力を供給する、
ことを特徴とする請求項９に記載の充電装置のテストボード。
【請求項１１】
前記第２の通信モジュールは、第１の通信線を介して前記充電装置と通信し、前記第１の通信線と、前記第１の電源線と、前記第２の電源線とは、同一のケーブルに設けられる、
ことを特徴とする請求項６に記載の充電装置のテストボード。
【請求項１２】
テストシステムであって、
負荷モジュールと、
請求項１〜１１のいずれかに記載のテストボードと、
前記テストボードを介して前記負荷モジュールとテスト回路を形成し、さらに前記テストボードと通信する充電装置と、
前記テストボードと通信する上位コンピュータと、を含む、
ことを特徴とするテストシステム。
【請求項１３】
テストボードに適用される充電装置のテスト方法であって、
前記充電装置は、前記テストボードを介して、負荷モジュールとテスト回路を形成し、
前記テストボードは、第１の通信モジュールを介して上位コンピュータと通信し、さらに第２の通信モジュールを介して前記充電装置と通信し、
前記テスト方法は、
前記上位コンピュータによって送信された命令情報を受信するステップと、
前記テストボード又は前記充電装置がテスト命令を実行するように、前記命令情報に基づいて対応する前記テスト命令を生成するステップと、を含む、
ことを特徴とする充電装置のテスト方法。
【請求項１４】
前記テストボード又は前記充電装置が前記テスト命令を実行するステップの後、
前記充電装置の状態情報を取得するステップと、
前記充電装置の状態情報に基づいて前記テスト命令のテスト結果を決定するステップと、
前記上位コンピュータに前記テスト結果を送信するステップと、をさらに含む、
ことを特徴とする請求項１３に記載の充電装置のテスト方法。
【請求項１５】
前記テストボード又は前記充電装置が前記テスト命令を実行するステップの後、
前記充電装置の状態情報を取得するステップと、
前記上位コンピュータが前記充電装置の状態情報に基づいて前記テスト命令のテスト結果を決定するように、前記上位コンピュータに前記充電装置の状態情報を送信するステップと、をさらに含む、
ことを特徴とする請求項１３に記載の充電装置のテスト方法。
【請求項１６】
前記制御モジュールが前記テスト命令を実行する場合、前記テスト方法は、
前記テスト命令に基づいて指示された異常状態をシミュレーションし、前記充電装置の作動状態情報を採集するステップをさらに含み、前記作動状態情報は、前記充電装置が保護状態に進入したか否かを示すものである、
ことを特徴とする請求項１３〜１５のいずれかに記載の充電装置のテスト方法。
【請求項１７】
前記充電装置が前記テスト命令を実行する場合、前記テスト方法は、
前記充電装置に前記テスト命令を送信し、前記充電装置の出力状態情報を採集するステップをさらに含み、前記出力状態情報は、前記充電装置が前記テスト命令に基づいて作動する際の出力状態を示すものである、
ことを特徴とする請求項１３〜１５のいずれかに記載の充電装置のテスト方法。
【発明の詳細な説明】
【技術分野】
【０００１】
本出願は、充電技術の分野に関し、特に、充電装置のテストボード、テストシステム及びテスト方法に関する。
【背景技術】
【０００２】
関連技術では、通常、手動で異常を発生させ、人為的に異常状態を判断し、アダプタなどの充電装置をテストする。しかし、関連技術に存在する問題は、手動でテストするのに、煩雑で手間がかかり、全テストを完了するのに時間がかかる。
【発明の概要】
【発明が解決しようとする課題】
【０００３】
本出願は、自動テストを実現することができる充電装置のテストシステム及び方法を提供し、操作が簡単になり、時間と労力が節約される。
【課題を解決するための手段】
【０００４】
本出願の第１の側面の実施例によって提供される充電装置のテストボードは、充電装置と負荷モジュールとにそれぞれ接続される接続回路であって、前記充電装置が前記接続回路を介して前記負荷モジュールとテスト回路を形成するようにする接続回路と、上位コンピュータと通信する第１の通信モジュールと、前記充電装置と通信する第２の通信モジュールと、前記第１の通信モジュールと第２の通信モジュールとに接続され、前記第１の通信モジュールを介して前記上位コンピュータによって送信された命令情報を受信し、前記テストボード又は前記充電装置が前記テスト命令を実行するように、前記命令情報に基づいて対応するテスト命令を生成する制御モジュールと、を含む。
【０００５】
本出願の実施例によって提供される充電装置のテストボードによれば、充電装置は、接続回路を介して、負荷モジュールとテスト回路を形成し、制御モジュールは、第１の通信モジュールを介して上位コンピュータと通信し、第２の通信モジュールを介して充電装置と通信し、制御モジュールは、第１の通信モジュールを介して上位コンピュータによって送信された命令情報を受信し、テストボード又は充電装置がテスト命令を実行するように、命令情報に基づいて対応するテスト命令を生成することによって、自動テストを実現することができ、操作が簡単になり、時間と労力が節約され、テスト全体に係る時間を短縮することができる。
【０００６】
本出願の一実施例によれば、前記テストボード又は前記充電装置が前記テスト命令を実行した後、前記制御モジュールは、前記充電装置の状態情報を取得し、前記充電装置の状態情報に基づいて前記テスト命令のテスト結果を決定し、及び前記上位コンピュータに前記テスト結果を送信するためにも用いられる。
【０００７】
本出願の一実施例によれば、前記テストボード又は前記充電装置が前記テスト命令を実行した後、前記制御モジュールは、前記充電装置の状態情報を取得し、前記上位コンピュータが前記充電装置の状態情報に基づいて前記テスト命令のテスト結果を決定するように、前記上位コンピュータに前記充電装置の状態情報を送信するためにも用いられる。
【０００８】
本出願の一実施例によれば、前記制御モジュールが前記テスト命令を実行する場合、前記テスト命令に基づいて指示された異常状態をシミュレーションし、前記充電装置の作動状態情報を採集し、前記作動状態情報は、前記充電装置が保護状態に進入したか否かを示すものである。
【０００９】
本出願の一実施例によれば、前記充電装置が前記テスト命令を実行する場合、前記制御装置は、前記第２の通信モジュールを介して前記充電装置に前記テスト命令を送信し、前記充電装置の出力状態情報を採集し、前記出力状態情報は、前記充電装置が前記テスト命令に基づいて作動する際の出力状態を指示するために用いられる。
【００１０】
本出願の一実施例によれば、前記接続回路は、第１の電源線と第２の電源線とを含み、前記第１の電源線は、一端が前記負荷モジュールの正極に接続され、他端が前記充電装置の正の電源線に接続され、前記第２の電源線は、一端が前記負荷モジュールの負極に接続され、他端が前記充電装置の負の電源線に接続される。
【００１１】
本出願の一実施例によれば、前記接続回路は、前記第１の電源線又は前記第２の電源線に直列接続されるスイッチングトランジスタをさらに含み、前記スイッチングトランジスタの制御極は、前記制御モジュールに接続され、前記制御モジュールは、スイッチングトランジスタのオン又はオフを制御することによって前記充電装置から前記負荷モジュールへのテスト回路のオン又はオフを制御する。
【００１２】
本出願の一実施例によれば、前記接続回路は、前記第１の電源線又は前記第２の電源線に直列接続されるサンプリング抵抗をさらに含み、前記サンプリング抵抗の両端は、前記制御モジュールにさらに接続される。
【００１３】
本出願の一実施例によれば、前記負荷モジュールは電子負荷を含み、前記制御モジュールは外部電源に接続されて、前記外部電源が前記制御モジュールに電力を供給するようにする。
【００１４】
本出願の一実施例によれば、前記負荷モジュールはプログラマブル電源であり、前記プログラマブル電源はさらに前記制御モジュールに電力を供給する。
【００１５】
本出願の一実施例によれば、前記第２の通信モジュールは、第１の通信線を介して前記充電装置と通信し、前記第１の通信線と、前記第１の電源線と、前記第２の電源線とは、同一のケーブルに設けられる。
【００１６】
上記の目的を達成するために、本出願の第２の側面の実施例によって提供されるテストシステムは、負荷モジュールと、第１の側面の実施例に記載のテストボードと、前記テストボードを介して前記負荷モジュールとテスト回路を形成し、さらに前記テストボードと通信する充電装置と、前記テストボードと通信する上位コンピュータと、を含む。
【００１７】
本出願の実施例によって提供される充電装置のテストシステムによれば、自動テストを実現することができ、操作が簡単になり、時間と労力が節約され、テスト全体に係る時間を短縮することができる。
【００１８】
上記の目的を達成するために、本出願の第３の側面の実施例によって提供される充電装置のテスト方法は、テストボードに適用され、前記充電装置は、前記テストボードを介して、負荷モジュールとテスト回路を形成し、前記テストボードは、第１の通信モジュールを介して上位コンピュータと通信し、さらに第２の通信モジュールを介して前記充電装置と通信し、前記方法は、前記上位コンピュータによって送信された命令情報を受信するステップと、前記テストボード又は前記充電装置が前記テスト命令を実行するように、前記命令情報に基づいて対応するテスト命令を生成するステップと、を含む。
【００１９】
本出願の実施例によって提供される充電装置のテスト方法によれば、充電装置は、接続回路を介して、負荷モジュールとテスト回路を形成し、テストボードは、上位コンピュータと通信し、さらに、充電装置と通信し、テストボードは、上位コンピュータによって送信された命令情報を受信し、テストボード又は充電装置がテスト命令を実行するように、命令情報に基づいて対応するテスト命令を生成することによって、自動テストを実現することができ、操作が簡単になり、時間と労力が節約され、テスト全体に係る時間を短縮することができる。
【００２０】
本出願の一実施例によれば、前記テストボード又は前記充電装置が前記テスト命令を実行した後、前記充電装置の状態情報を取得するステップと、前記充電装置の状態情報に基づいて前記テスト命令のテスト結果を決定するステップと、前記上位コンピュータに前記テスト結果を送信するステップと、をさらに含む。
【００２１】
本出願の一実施例によれば、前記テストボード又は前記充電装置が前記テスト命令を実行した後、前記充電装置の状態情報を取得するステップと、前記上位コンピュータが前記充電装置の状態情報に基づいて前記テスト命令のテスト結果を決定するように、前記上位コンピュータに前記充電装置の状態情報を送信するステップと、をさらに含む。
【００２２】
本出願の一実施例によれば、前記制御モジュールが前記テスト命令を実行する場合、前記方法は、前記テスト命令に基づいて指示された異常状態をシミュレーションし、前記充電装置の作動状態情報を採集するステップをさらに含み、前記作動状態情報は、前記充電装置が保護状態に進入した否かを示すものである。
【００２３】
本出願の一実施例によれば、前記充電装置が前記テスト命令を実行する場合、前記方法は、前記充電装置に前記テスト命令を送信し、前記充電装置の出力状態情報を採集するステップをさらに含み、前記出力状態情報は、前記充電装置が前記テスト命令に基づいて作動する際の出力状態を指示するために用いられる。
【００２４】
本出願の付加的な特徴及び利点は、一部が以下の説明において示され、一部が以下の説明により明らかになり、又は本出願の実践により理解される。
【図面の簡単な説明】
【００２５】
本出願の上記及び/又は付加的な特徴及び利点は、図面を参照して実施例について以下に説明することにより、明らかになり、理解されやすくなる。
【図１】本出願の実施例の充電装置のテストボードのブロック概略図である。
【図２】本出願の一実施例の充電装置のテストボードのブロック概略図である。
【図３】本出願の別の実施例の充電装置のテストボードのブロック概略図である。
【図４】本出願のもう一つの実施例の充電装置のテストボードのブロック概略図である。
【図５】本出願の実施例の充電装置のテストシステムのブロック概略図である。
【図６】本出願の実施例の充電装置のテスト方法の概略フローチャートである。
【発明を実施するための形態】
【００２６】
以下、本出願の実施例を詳細に説明する。前記実施例における例が図面に示され、同一又は類似する符号は、常に同一又は類似する素子、或いは、同一又は類似する機能を有する素子を示す。以下に、図面を参照しながら説明される実施例は例示的なものであり、本出願を解釈するためだけに用いられ、本出願を限定するものと理解してはいけない。
【００２７】
以下、図面を参照して本出願の実施例の充電装置のテストボード、テストシステム及びテスト方法を説明し、当該充電装置のテストボード、テストシステム及びテスト方法は、充電装置をテストするために用いられる。
【００２８】
本出願の実施例において、充電装置は、電子機器に充電するために使用されることができる。電子機器は、端末を指すことができ、当該「端末」は、スマートフォン、コンピュータ、パーソナルデジタルアシスタント（ｐｅｒｓｏｎａｌ  ｄｉｇｉｔａｌ  ａｓｓｉｓｔａｎｔ、ＰＤＡ）、ウェアラブルデバイス、ブルートゥースヘッドセット、ゲーム機器、撮像デバイスなどを含むことができるが、これらに限定されない。充電装置は、アダプタ、モバイル電源（モバイルバッテリ）、車載充電器などの端末に充電する機能を有する機器であってもよい。アダプタを例として、充電装置は、ＶＯＯＣアダプタであってもよく、ＶＯＯＣアダプタの充電回路は、充電インターフェースを介して電子機器のバッテリに直接に接続することができる。
【００２９】
充電装置の安全性と信頼性とを確保するために、充電装置は、通常、過電圧過電流過熱の保護、回路インピーダンス異常の保護、スイッチングトランジスタ異常の保護などの、安全保護機構が設けられていることが理解されたい。これにより、実際の使用中に、充電装置に        何らかの異常状態が発生すると、充電装置は保護状態に進入する。
【００３０】
このために、本出願の実施例の充電装置のテストシステムは、テストボードを介して電子機器の状態をシミュレーションし、充電装置とリアルタイムで通信し、意図的に異常状態を作成し、充電装置の状態をリアルタイムでモニタリングし、充電装置が異常時に対応する保護状態に進入したか否かを判断することによって、各保護機能の有效性を検証する。
【００３１】
以下、図１〜４を参照して本出願の実施例の充電装置のテストボードを詳細に説明する。
【００３２】
図１に示すように、本出願の実施例の充電装置のテストボード１００は、接続回路１０と、第１の通信モジュール２０と、第２の通信モジュール３０と、制御モジュール４０とを含む。
【００３３】
接続回路１０は、充電装置２００と負荷モジュール３００とにそれぞれ接続され、充電装置２００は、接続回路１０を介して、負荷モジュール３００とテスト回路を形成する。すなわち、充電装置２００によって出力される電流は、テストボード２０の接続回路１０を介して負荷モジュール３００に流れ、電流方向は、図１の矢印方向に示される。
【００３４】
第１の通信モジュール２０は上位コンピュータ４００と通信し、第２の通信モジュール３０は充電装置２００と通信し、制御モジュール４０は、第１の通信モジュール２０と第２の通信モジュール３０とに接続される。つまり、制御モジュール４０は、第１の通信モジュール２０を介して、上位コンピュータ４００によって送信された情報を受信することができ、上位コンピュータ４００に情報を送信することもでき、同様に、制御モジュール４０は、第２の通信モジュール３０を介して充電装置２００によって送信された情報を受信することができ、充電装置２００に情報を送信することもできる。
【００３５】
なお、負荷モジュール１０は、バッテリなしの負荷であってもよく、テストボード２０は、負荷モジュール１０と結合して電子機器の状態をシミュレーションすることができ、例えば、テストボード２０を介して電子機器の急速充電中のバッテリの状態をシミュレーションし、バッテリの状態は、バッテリ電流、バッテリ電圧などを含み、その後、テストボード２０は、シミュレーションされたバッテリ状態を充電装置３０に再び報告し、充電装置３０は、テストボード２０によって報告されたバッテリ状態に基づいて充電プロセスをシミュレーションすることができる。
【００３６】
テスト中に、制御モジュール４０は、第１の通信モジュール２０を介して上位コンピュータ４００によって送信された命令情報を受信し、命令情報に基づいて対応するテスト命令を生成して、テストボード１００又は充電装置２００が命令をテストするようにすることができる。
【００３７】
一例として、上位コンピュータ４００は、テストボード１００に命令情報を送信することができ、当該命令情報は、現在のテストタイプを指示するために用いられ、例えば、現在のテストタイプは、過電圧テスト、過熱テスト、回路インピーダンステストなどを含むことができる。制御モジュール４０は、第１の通信モジュール２０を介して上位コンピュータ４００によって送信された命令情報を受信し、命令情報に基づいて現在のテストタイプを決定し、現在のテストタイプに基づいて対応するテスト命令を生成する。その後、生成されたテスト命令の実行主体を決定し、例えば、当該テスト命令の実行主体が充電装置２００である場合、制御モジュール４０は、第２の通信モジュール３０を介して充電装置２００にテスト命令を送信することができ、充電装置がテストタイプに対応するテストを実現するように、充電装置２００当該テスト命令を実行し、また、当該テスト命令の実行主体がテストボード１００である場合、制御モジュール４０は、充電装置がテストタイプに対応するテストを実現するように、当該テスト命令を直接に実行することができる。
【００３８】
これにより、自動テストを実現することができ、操作が簡単になり、時間と労力が節約され、テスト全体に係る時間を短縮することができる。
【００３９】
充電装置２００に対して複数のテストが必要な場合、上位コンピュータ４００は、設定されたテストタイミングシーケンスによって、順次に複数の命令情報を送信することができ、テストボード１００は、命令情報を受信したごとに、受信された命令情報に基づいて対応するテスト命令を生成して、対応するテストに基づいてテストすることができることを理解されたい。また、現在のテストが完了した後、上位コンピュータ４００は、自動的に又はユーザが入力した命令に基づいて次の命令情報を送信することができる。これにより、テスト全体を自動的に実現することができ、時間と労力が節約され、テスト全体に係る時間を短縮することができる。
【００４０】
本出願のいくつかの実施例では、テストボード１００又は充電装置１００がテスト命令を実行した後、制御モジュール４０は、さらに、充電装置２００の状態情報を取得し、充電装置２００の状態情報に基づいてテスト結果のテスト結果を決定し、及び上位コンピュータ４００にテスト結果を送信するために用いられる。
【００４１】
本出願のいくつかの実施例では、テストボード１００又は充電装置２００がテスト命令を実行した後、制御モジュール４０は、さらに、充電装置２００の状態情報を取得し、上位コンピュータ４００に充電装置２００の状態情報を送信して、上位コンピュータ４００が充電装置２００の状態情報に基づいてテスト結果を決定するようにするために用いられる。
【００４２】
一例として、充電装置２００の状態情報は、保護状態などの作動状態信号と、出力電圧、出力電流などの出力状態情報と、を含むことができる。
【００４３】
具体的には、制御モジュール４０がテスト命令を実行する場合、テスト命令に基づいて指示された異常状態をシミュレーションし、充電装置２００の作動状態情報を採集し、作動状態情報は、充電装置４０が保護状態に進入したか否かを示すものである。
【００４４】
上位コンピュータ４００は、テストボード１００に命令情報を送信することができ、命令情報はテストタイプを指示することができ、テストボード１００の制御モジュール４０は、第２の通信モジュール３０を介して命令情報を受信した後、受信された命令情報に基づいて対応するテスト命令を生成することができ、その後、制御モジュール４０は、当該テスト命令を実行して、当該テスト命令に基づいて指示された異常状態をシミュレーションすることができ、充電装置２００は、接続回路１０を介して、負荷モジュール３００とテスト回路を形成するため、充電装置２００は、当該異常状態を検出して、当該異常状態の保護機能が正常な場合に保護状態に進入することができることを理解されたい。
【００４５】
次に、テストボード１００は、第２の通信モジュール３０を介して充電装置２００の作動状態情報、すなわち充電装置２００が保護状態に進入したか否かの情報を受信する。テストボード１００は、自身で作動状態情報に基づいて充電装置２００が保護状態に進入したか否かを判断したり、又は作動状態情報を上位コンピュータ４００に送信し、上位コンピュータ４００によって充電装置２００が保護状態に進入したか否かを判断したりすることができる。充電装置が保護状態に進入した場合、充電装置は、当該異常保護機能を有するか、又は当該異常保護機能が有效であるかを確認し、充電装置が保護状態に進入してない場合、充電装置は、当該異常保護機能を有していないか、又は当該異常保護機能が失効であるかを確認する。
【００４６】
一例として、充電装置２００から負荷モジュール３００への回路インピーダンスの保護機能テストを例とすると、回路インピーダンス保護機能テストする場合、制御モジュール４０は、テスト命令に基づいて回路インピーダンス異常状態をシミュレーションすることができ、すなわち制御モジュール４０は、充電装置２００にテストバッテリ電圧ＶＢＡＴを送信することができ、充電装置２００は、テストボード１００によって報告されたテストバッテリ電圧ＶＢＡＴを受信することができ、テストバッテリ電圧ＶＢＡＴに基づいて充電装置２００から負荷モジュール３００への回路インピーダンスを算出し、充電装置２００から負荷モジュール３００への回路インピーダンスに基づいて充電装置２００の作動状態（正常作動状態、保護状態などを含むが、これらに限定しない）を制御する。すなわち、回路インピーダンスが予め設定されたインピーダンスより大きい場合、充電装置２００は保護状態に進入し、回路インピーダンスが予め設定されたインピーダンス以上である場合、充電装置２００は正常作動状態にある。
【００４７】
このとき、テストボード１００は、第２の通信モジュール３０を介して充電装置２００の作動状態を取得し、自身で作動状態情報に基づいて充電装置２００が保護状態に進入したか否かを判断したり、又は作動状態情報を上位コンピュータ４００に送信し、上位コンピュータ４００によって充電装置２００が保護状態に進入したか否かを判断したりする。充電装置が保護状態に進入する場合、テストボード１００又は上位コンピュータ４００は、充電装置が回路インピーダンス保護機能を有するか、又は回路インピーダンス保護機能が有效であるかを確認し、充電装置が保護状態に進入してない場合、テストボード１００又は上位コンピュータ４００は、充電装置が回路インピーダンス保護機能を有していないか、又は回路インピーダンス保護機能が失効であるかを確認する。
【００４８】
なお、充電装置２００は、充電装置２００の充電電圧、テストボード１００によって報告されたテストバッテリ電圧ＶＢＡＴ、充電装置２００の充電電流に基づいて充電装置２００から負荷モジュール３００への回路インピーダンスを算出することができる。すなわち、充電装置３０は、以下の式に基づいて充電装置３０から負荷モジュール１０への回路インピーダンスを算出することができる。
Ｒ＝（ＶＢＵＳ−ＶＢＡＴ）／Ｉ
Ｒは充電装置３０から負荷モジュール１０への回路インピーダンスであり、ＶＢＵＳは充電装置３０の充電電圧であり、ＶＢＡＴはテストボード２０によって報告されたテストバッテリ電圧であり、Ｉは充電装置３０の充電電流である。
【００４９】
また、制御モジュール４０は、テストボードにおける電圧をサンプリングし、テストボードにおける電圧Ｖ−ＡＤＣ、アナログインピーダンス増加値△Ｒ、充電装置３０の充電電流Ｉに基づいて、テストバッテリ電圧ＶＢＡＴを算出することができる。アナログインピーダンス増加値△Ｒは、予め設定されたインピーダンス以上である。すなわち、制御モジュール４０は、以下の式に基づいてテストバッテリ電圧を算出することができる。
ＶＢＡＴ＝Ｖ−ＡＤＣ−△Ｒ＊Ｉ
ＶＢＡＴはテストバッテリ電圧であり、Ｖ−ＡＤＣはテストボード２０における電圧であり、△Ｒはアナログインピーダンス増加値であり、Ｉは充電装置３０の充電電流である。
【００５０】
具体的には、充電装置２００がテスト命令を実行する場合、制御装置４０は、第２の通信モジュール３０を介して充電装置２００にテスト命令を送信し、充電装置２００の出力状態情報を採集し、出力状態情報は、充電装置２００テスト命令に基づいて作動する際の出力状態を指示するために用いられる。
【００５１】
上位コンピュータ４００は、テストボード１００に命令情報を送信することができ、命令情報はテストタイプを指示することができ、テストボード１００の制御モジュール４０は、第２の通信モジュール３０を介して命令情報を受信した後、受信された命令情報に基づいて対応するテスト命令を生成することができ、その後、制御モジュール４０は、第２の通信モジュール３０を介して充電装置２００に当該テスト命令を送信することができ、充電装置２００は、当該テスト命令を実行して、あるテスト状態に進入することができることを理解されたい。
【００５２】
次に、テストボード１００は、第２の通信モジュール３０を介して、充電装置２００の出力電圧、出力電流などの充電装置２００の出力状態情報を受信することができる。テストボード１００は、自身で出力状態情報に基づいて充電装置２００の出力状態情報がテスト要求を満たすか否かを判断したり、又は出力状態情報を上位コンピュータ４００に送信して、上位コンピュータ４００によって充電装置２００の出力状態情報がテスト要求を満たすか否かを判断したりすることができる。
【００５３】
一例として、消費電力テストを例とすると、消費電力テストする場合、制御モジュール４０は、充電装置２００にテスト命令を送信することができ、充電装置２００は、テスト命令に基づいてあるテストシーンに進入することができ、テストボード１００は、第２の通信モジュール３０を介して、電圧電流などの充電装置２００の出力状態を取得することができる。テストボード１００は、自身で出力状態情報に基づいて、充電装置２００が消費電力テスト要求を満たすか否かを判断したり、又は出力状態情報を上位コンピュータ４００に送信して、上位コンピュータ４００によって消費電力テスト要求を満たすか否かを判断したりすることができる。
【００５４】
以下、テストボード２００の具体的な構造を説明する。
【００５５】
図２乃至４に示すように、接続回路１０は、第１の電源線１０１と第２の電源線１０２とを含むことができる。
【００５６】
また、充電装置２００は電源線を有することができ、充電装置２００は、電源線を介して外部に電気エネルギーを出力することができ、例えば、電子機器のバッテリに充電したり、又は負荷モジュール３００に電気エネルギーを伝送したりする。具体的には、充電装置２００の電源線は、正の電源線３０１ａと負の電源線３０１ｂとを含むことができる。その中、第１の電源線１０１は、一端が負荷モジュール３００の正極に接続され、他端が充電装置２００の正の電源線３０１ａに接続され、第２の電源線１０２は、一端が負荷モジュール３００の負極に接続され、他端が充電装置２００の負の電源線３０１ｂに接続される。
【００５７】
正の電源線３０１ａは、充電装置２００の充電回路３０３の正出力端＋に接続されることもでき、負の電源線３０１ｂは、充電装置２００の充電回路３０３の負出力端−に接続されることもできる。
【００５８】
電流は、充電装置２００の充電回路３０３の正出力端＋から流出し、順次に正の電源線３０１ａと第１の電源線１０１を通過して負荷モジュール３００の正極に流入し、その後、負荷モジュール３００の正極から流出し、順次に第２の電源線１０２と負の電源線３０１ｂを通過して充電装置２００の充電回路３０３の負出力端−に流れることを理解されたい。
【００５９】
一例として、充電装置２００が電子機器に接続される場合、正の電源線３０１ａと負の電源線３０１ｂは、バッテリの正極と負極にそれぞれ接続されて、電子機器のバッテリに充電することができる。
【００６０】
図４によれば、接続回路１０はスイッチングトランジスタ１０３をさらに含み、スイッチングトランジスタ１０３は、第１の電源線１０１又は第２の電源線１０２に直列に接続され、制御モジュール４０は、スイッチングトランジスタ１０３の制御極に接続され、制御モジュール４０は、スイッチングトランジスタ１０３のオン又はオフを制御することによって充電装置２００から負荷モジュール３００へのテスト回路のオン又はオフを制御する。
【００６１】
スイッチングトランジスタ１０３がオンになる場合、充電装置２００から負荷モジュール１００へのテスト回路はオンになり、充電装置２００は、負荷モジュール３００に電気エネルギーを出力し、スイッチングトランジスタ１０３がオフになる場合、充電装置２００から負荷モジュール３００へのテスト回路は遮断され、充電装置２００は、負荷モジュール３００に電気エネルギーを出力することを停止することを理解されたい。
【００６２】
制御モジュール４０は、スイッチングトランジスタ１０３の制御極に接続され、充電装置２００がテストする場合、スイッチングトランジスタ１０３は、制御モジュール４０の制御でオンになることができる。スイッチングトランジスタ４０は、ＭＯＳトランジスタ又は三極管であってもよい。制御モジュール４０は、ＭＣＵ（Ｍｉｃｒｏ−ｃｏｎｔｒｏｌｌｅｒ  Ｕｎｉｔ、マイクロ制御ユニット）であってもよい。
【００６３】
具体的には、ＭＯＳトランジスタを例として、ＭＯＳトランジスタは、第１の電源線１０１に配置され、ＭＯＳトランジスタのドレインは、充電装置２００の近くに設置することができ、ＭＯＳトランジスタのソースは、充電装置２００から離れて設置することができる。
【００６４】
図４によれば、接続回路４０は、第１の電源線１０１又は第２の電源線１０２に直列に接続されるサンプリング抵抗Ｒ１をさらに含むことができ、サンプリング抵抗Ｒ１の両端は、制御モジュール４０にも接続される。つまり、制御モジュール４０は、サンプリング抵抗Ｒ１を介して第１の電源線１０１又は第２の電源線１０２上の電流をサンプリングすることができ、制御モジュール４０は、当該電流をテスト回路の電流とすることによって、当該電流に基づいて充電装置２００を制御してもよいし、電流が予め設定された電流より大きい時にスイッチングトランジスタ１０３を制御することによって、過電流保護を実現してもよい。
【００６５】
本出願のいくつかの実施例では、負荷モジュール３００は、電子負荷又はプログラム電源であってもよい。その中、電子負荷は、定電流モード又は定電圧モードになることができる。プログラマブル電源は、負荷とするともに、外部へ電力を供給することができる。
【００６６】
具体的には、負荷モジュール３００が電子負荷である場合、制御モジュール４０は、外部電源５０に接続されて、外部電源５０が制御モジュール４０に電力を供給するようにすることができる。負荷モジュール３００がプログラム電源である場合、プログラマブル電源は、さらに、制御モジュール４０に電力を供給する。
【００６７】
つまり、テストボード１００の給電は、外部へ電力を供給するか、又は負荷モジュール３００のプログラマブル電源として使用して電力を供給することによって、充電装置２００保護状態に進入した後、電源の出力を閉じた後、制御モジュール４０がパワーダウンすることを防止する。
【００６８】
本出願の一実施例では、図４に示すように、第２の通信モジュール３０は、第１の通信線１０５を介して充電装置２００と通信することができ、第１の通信線１０５、第１の電源線１０１、第２の電源線１０２は、同一のケーブルに設けられることができる。当該ケーブルは、ＵＳＢケーブル又はＴｙｐｅ−ｃケーブルであってもよく、これにより、充電装置とテストボードとの間の接続を実現するのが容易になる。
【００６９】
本出願の一実施例では、図４に示すように、第１の通信モジュール２０は、通信ケーブルを介して上位コンピュータ４００と通信することができ、当該通信ケーブルは、シリアル通信ケーブルであってもよく、すなわち、上位コンピュータ４００とテストボード１００との間でシリアル通信を行うことができる。
【００７０】
要約すると、本出願の実施例によって提供される充電装置のテストボードによれば、充電装置は、接続回路を介して、負荷モジュールとテスト回路を形成し、制御モジュールは、第１の通信モジュールを介して上位コンピュータと通信し、第２の通信モジュールを介して充電装置と通信し、制御モジュールは、第１の通信モジュールを介して上位コンピュータによって送信された命令情報を受信し、テストボード又は充電装置がテスト命令を実行するように、命令情報に基づいて対応するテスト命令を生成することによって、自動テストを実現することができ、操作が簡単になり、時間と労力が節約され、テスト全体に係る時間を短縮することができる。
【００７１】
上記の実施例に基づいて、本出願は、テストシステムをさらに提供する。
【００７２】
図５は、本出願の実施例によるテストシステムのブロック概略図である。図５に示すように、テストシステムは、負荷モジュール３００と、前述の実施例のテストボード１００と、充電装置２００と、上位コンピュータ４００と、を含む。
【００７３】
充電装置２００は、テストボード１００を介して、負荷モジュール３００とテスト回路を形成し、充電装置２００は、さらに、テストボード１００と通信し、上位コンピュータ４００は、テストボード１００と通信する。
【００７４】
本出願の実施例によって提供される充電装置のテストシステムによれば、自動テストを実現することができ、操作が簡単になり、時間と労力が節約され、テスト全体に係る時間を短縮することができる。
【００７５】
前述の実施例の充電装置のテストボードに対応して、本出願は、充電装置のテスト方法をさらに提供する。
【００７６】
図６は、本出願の実施例によって提供される充電装置のテスト方法の概略フローチャートである。当該テスト方法は、テストボードに適用され、充電装置は、テストボードを介して、負荷モジュールとテスト回路を形成し、テストボードは、第１の通信モジュールを介して上位コンピュータと通信し、さらに、第２の通信モジュールを介して充電装置と通信する。図６に示すように、本出願の実施例の充電装置のテスト方法は、以下のようなステップを含む。
ステップＳ１：上位コンピュータによって送信された命令情報を受信する。
ステップＳ２：テストボード又は充電装置がテスト命令を実行するように、命令情報に基づいて対応するテスト命令を生成する。
【００７７】
本出願の一実施例によれば、テストボード又は充電装置がテスト命令を実行した後、充電装置の状態情報を取得するステップと、充電装置の状態情報テスト命令に基づいてのテスト結果を決定するステップと、上位コンピュータにテスト結果を送信するステップと、をさらに含む。
【００７８】
本出願の一実施例によれば、テストボード又は充電装置がテスト命令を実行した後、充電装置の状態情報を取得するステップと、上位コンピュータが充電装置の状態情報テスト命令に基づいてのテスト結果を決定するように、上位コンピュータに充電装置の状態情報を送信するステップと、をさらに含む。
【００７９】
本出願の一実施例によれば、制御モジュールがテスト命令を実行する場合、方法は、テスト命令に基づいて指示された異常状態をシミュレーションし、充電装置の作動状態情報を採集するステップをさらに含み、作動状態情報は、充電装置が保護状態に進入したか否かを指示するために用いられる。
【００８０】
本出願の一実施例によれば、充電装置テスト命令を実行する場合、方法は、充電装置にテスト命令を送信し、充電装置の出力状態情報を採集するステップをさらに含み、出力状態情報は、充電装置がテスト命令に基づいて作動する際の出力状態を指示するために用いられる。
【００８１】
なお、前述の充電装置のテストボード実施例に対する説明は、当該実施例の充電装置のテスト方法にも適用することができ、ここでは再度説明しない。
【００８２】
要約すると、本出願の実施例によって提供される充電装置のテスト方法によれば、充電装置は、接続回路を介して、負荷モジュールとテスト回路を形成し、テストボードは、上位コンピュータと通信し、さらに、充電装置と通信し、テストボードは、上位コンピュータによって送信された命令情報を受信し、テストボード又は充電装置がテスト命令を実行するように、命令情報に基づいて対応するテスト命令を生成することによって、自動テストを実現することができ、操作が簡単になり、時間と労力が節約され、テスト全体に係る時間を短縮することができる。
【００８３】
当業者は、以下のことを意識することができる。本出願に開示されている実施例に組み合わせて説明された各例のユニット及アルゴリズムステップは、電子ハードウェア、またはコンピュータソフトウェアと電子ハードウェアとの結合によって実現することができる。これらの機能が一体ハードウェア、それともソフトウェアの方式によって実行されるのかは、技術案の特定応用及び設計拘束条件によるものである。当業者は、各特定の応用に対して、説明された機能を異なる方法で実現することができ、このような実現は、本出願の範囲を超えたと考えてはいけない。
【００８４】
説明上の便利と簡潔で、上記説明されたシステム、装置及びユニットの具体的な作業プロセスは、前述の方法実施例における対応する過程を参照することができるため、ここで説明を省略する。これは当業者に明白に理解されるべきである。
【００８５】
本出願によって提供されるいくつかの実施例において、開示されているシステムと、装置と、方法とは、他の方式によって実現することができる。例えば、上記装置の実施例は、概略的なものだけである。例えば、前記ユニットの区分は、ロジック機能の区分だけである。実際に実現する時に、他の区分方式を有することができる。例えば、複数のユニットまたはコンポーネントは、結合することができる、または他のシステムに集積することができ、または一部の特徴を無視することができ、または実行しないことができる。一方、示されたまたは論議された相互間の結合または直接結合または通信接続は、一部のインターフェイスを介して、装置またはユニットの間接結合または通信接続であってもよく、電気的、機械的または他の形式であってもよい。
【００８６】
分離部品として説明された前記ユニットは、物理上に分離してもよいし、物理上に分離しなくてもよい。ユニットとして示された部品は、物理的なユニットであってもよいし、物理的なユニットでなくてもよい。即ち、一つの場所にあってもよいし、または複数のネットワークユニットに分布されてもよい。必要に応じて、そのうちの一部または全部のユニットを選択して本実施例の技術案の目的を実現することができる。
【００８７】
また、本出願の各実施例においての各機能ユニットは、一つの処理ユニットに集められてもよいが、各ユニットが独立な物理存在であってもよく、二つ以上のユニットが一つのユニットに集めてもよい。
【００８８】
前記機能はソフトウェア機能ユニットの形で実現され独立な商品として販売又は使用される際、一つのコンピュータ読取可能媒体中に記憶されることはできる。このような理解に基づいて、本出願の技術案は本質上、又は従来技術に貢献する部分又は当該技術案の部分がソフトウェア商品の形で現れる事ができ、当該コンピュータ・ソフトウェア商品が一つの記憶媒体に記憶され、若干の命令を含むことで一台のコンピュータ装置（パーソナル・コンピュータや、サーバー、又はネット装置等）に本出願の各実施例の前記方法の全部又は一部のステップを実行させる。前記の記憶媒体は、Ｕディスクと、リムーバブルハードディスクと、読み出し専用メモリ（ＲＯＭ，Ｒｅａｄ−ＯｎｌｙＭｅｍｏｒｙ）と、ランダムアクセスメモリ（ＲＡＭ，ＲａｎｄｏｍＡｃｃｅｓｓＭｅｍｏｒｙ）と、ディスクまたはＣＤ等様々なプログラムコードを記憶できる媒体を含む。
【００８９】
以上の記載は、本出願の実施形態に過ぎなく、本出願の保護範囲はこれに限定されない。当分野に詳しい全ての当業者が本出願に開示された技術範囲内で容易に想到する変化または取り替えは、本出願の保護範囲に含まれるべきである。従って、本出願の保護範囲はその特許請求の範囲に準ずるべきである。
【図１】
2021502042.tif 000003
【図２】
2021502042.tif 000004
【図３】
2021502042.tif 000005
【図４】
2021502042.tif 000006
【図５】
2021502042.tif 000007
【図６】
2021502042.tif 000008
【手続補正書】
【提出日】令和2年1月29日(2020.1.29)
【手続補正１】
【補正対象書類名】明細書
【補正対象項目名】全文
【補正方法】変更
【補正の内容】
【発明の詳細な説明】
【技術分野】
【０００１】
本出願は、充電技術の分野に関し、特に、充電装置のテストボード、テストシステム及びテスト方法に関する。
【背景技術】
【０００２】
関連技術では、通常、手動で異常を発生させ、人為的に異常状態を判断し、アダプタなどの充電装置をテストする。しかし、関連技術に存在する問題は、手動でテストするのに、煩雑で手間がかかり、全テストを完了するのに時間がかかる。
【発明の概要】
【発明が解決しようとする課題】
【０００３】
本出願は、自動テストを実現することができる充電装置のテストシステム及び方法を提供し、操作が簡単になり、時間と労力が節約される。
【課題を解決するための手段】
【０００４】
第１の側面において、本出願の実施例は充電装置のテストボードを提供し、充電装置のテストボードは、充電装置と負荷モジュールとにそれぞれ接続される接続回路であって、前記充電装置が前記接続回路を介して前記負荷モジュールとテスト回路を形成するようにする接続回路と、上位コンピュータと通信する第１の通信モジュールと、前記充電装置と通信する第２の通信モジュールと、前記第１の通信モジュールと第２の通信モジュールとに接続され、前記第１の通信モジュールを介して前記上位コンピュータによって送信された命令情報を受信し、前記テストボード又は前記充電装置が前記テスト命令を実行するように、前記命令情報に基づいて対応するテスト命令を生成する制御モジュールと、を含む。
【０００５】
本出願の実施例によって提供される充電装置のテストボードによれば、充電装置は、接続回路を介して、負荷モジュールとテスト回路を形成し、制御モジュールは、第１の通信モジュールを介して上位コンピュータと通信し、第２の通信モジュールを介して充電装置と通信し、制御モジュールは、第１の通信モジュールを介して上位コンピュータによって送信された命令情報を受信し、テストボード又は充電装置がテスト命令を実行するように、命令情報に基づいて対応するテスト命令を生成することによって、自動テストを実現することができ、操作が簡単になり、時間と労力が節約され、テスト全体に係る時間を短縮することができる。
【０００６】
本出願の一実施例によれば、前記テストボード又は前記充電装置が前記テスト命令を実行した後、前記制御モジュールは、前記充電装置の状態情報を取得し、前記充電装置の状態情報に基づいて前記テスト命令のテスト結果を決定し、及び前記上位コンピュータに前記テスト結果を送信するためにも用いられる。
【０００７】
本出願の一実施例によれば、前記テストボード又は前記充電装置が前記テスト命令を実行した後、前記制御モジュールは、前記充電装置の状態情報を取得し、前記上位コンピュータが前記充電装置の状態情報に基づいて前記テスト命令のテスト結果を決定するように、前記上位コンピュータに前記充電装置の状態情報を送信するためにも用いられる。
【０００８】
本出願の一実施例によれば、前記制御モジュールが前記テスト命令を実行する場合、前記テスト命令に基づいて指示された異常状態をシミュレーションし、前記充電装置の作動状態情報を採集し、前記作動状態情報は、前記充電装置が保護状態に進入したか否かを示すものである。
【０００９】
本出願の一実施例によれば、前記充電装置が前記テスト命令を実行する場合、前記制御装置は、前記第２の通信モジュールを介して前記充電装置に前記テスト命令を送信し、前記充電装置の出力状態情報を採集し、前記出力状態情報は、前記充電装置が前記テスト命令に基づいて作動する際の出力状態を指示するために用いられる。
【００１０】
本出願の一実施例によれば、前記接続回路は、第１の電源線と第２の電源線とを含み、前記第１の電源線は、一端が前記負荷モジュールの正極に接続され、他端が前記充電装置の正の電源線に接続され、前記第２の電源線は、一端が前記負荷モジュールの負極に接続され、他端が前記充電装置の負の電源線に接続される。
【００１１】
本出願の一実施例によれば、前記接続回路は、前記第１の電源線又は前記第２の電源線に直列接続されるスイッチングトランジスタをさらに含み、前記スイッチングトランジスタの制御電極は、前記制御モジュールに接続され、前記制御モジュールは、スイッチングトランジスタのオン又はオフを制御することによって前記充電装置から前記負荷モジュールへのテスト回路のオン又はオフを制御する。
【００１２】
本出願の一実施例によれば、前記接続回路は、前記第１の電源線又は前記第２の電源線に直列接続されるサンプリング抵抗をさらに含み、前記サンプリング抵抗の両端は、前記制御モジュールにさらに接続される。
【００１３】
本出願の一実施例によれば、前記負荷モジュールは電子負荷を含み、前記制御モジュールは外部電源に接続されて、前記外部電源が前記制御モジュールに電力を供給するようにする。
【００１４】
本出願の一実施例によれば、前記負荷モジュールはプログラマブル電源であり、前記プログラマブル電源はさらに前記制御モジュールに電力を供給する。
【００１５】
本出願の一実施例によれば、前記第２の通信モジュールは、第１の通信線を介して前記充電装置と通信し、前記第１の通信線と、前記第１の電源線と、前記第２の電源線とは、同一のケーブルに設けられる。
【００１６】
第２の側面において、本出願の実施例はテストシステムを提供し、テストシステムは、負荷モジュールと、第１の側面の実施例に記載のテストボードと、前記テストボードを介して前記負荷モジュールとテスト回路を形成し、さらに前記テストボードと通信する充電装置と、前記テストボードと通信する上位コンピュータと、を含む。
【００１７】
本出願の実施例によって提供される充電装置のテストシステムによれば、自動テストを実現することができ、操作が簡単になり、時間と労力が節約され、テスト全体に係る時間を短縮することができる。
【００１８】
第３の側面において、本出願の実施例は充電装置のテスト方法を提供し、前記テスト方法は、テストボードを介して、充電装置と負荷モジュールとの間でテスト回路を形成するステップと、テストボードは上位コンピュータによって送信された命令情報を受信するステップと、テストボードは命令情報に基づいてテスト命令を生成するステップと、テストボード又は前記充電装置がテスト命令を実行するステップと、を含む。
【００１９】
本出願の実施例によって提供される充電装置のテスト方法によれば、充電装置は、接続回路を介して、負荷モジュールとテスト回路を形成し、テストボードは、上位コンピュータと通信し、さらに、充電装置と通信し、テストボードは、上位コンピュータによって送信された命令情報を受信し、テストボード又は充電装置がテスト命令を実行するように、命令情報に基づいて対応するテスト命令を生成することによって、自動テストを実現することができ、操作が簡単になり、時間と労力が節約され、テスト全体に係る時間を短縮することができる。
【００２０】
本出願の一実施例によれば、前記テストボード又は前記充電装置が前記テスト命令を実行した後、前記充電装置の状態情報を取得するステップと、前記充電装置の状態情報に基づいて前記テスト命令のテスト結果を決定するステップと、前記上位コンピュータに前記テスト結果を送信するステップと、をさらに含む。
【００２１】
本出願の一実施例によれば、前記テストボード又は前記充電装置が前記テスト命令を実行した後、前記充電装置の状態情報を取得するステップと、前記上位コンピュータが前記充電装置の状態情報に基づいて前記テスト命令のテスト結果を決定するように、前記上位コンピュータに前記充電装置の状態情報を送信するステップと、をさらに含む。
【００２２】
本出願の一実施例によれば、前記制御モジュールが前記テスト命令を実行する場合、前記方法は、前記テスト命令に基づいて指示された異常状態をシミュレーションし、前記充電装置の作動状態情報を採集するステップをさらに含み、前記作動状態情報は、前記充電装置が保護状態に進入した否かを示すものである。
【００２３】
本出願の一実施例によれば、前記充電装置が前記テスト命令を実行する場合、前記方法は、前記充電装置に前記テスト命令を送信し、前記充電装置の出力状態情報を採集するステップをさらに含み、前記出力状態情報は、前記充電装置が前記テスト命令に基づいて作動する際の出力状態を指示するために用いられる。
【００２４】
本出願の付加的な特徴及び利点は、一部が以下の説明において示され、一部が以下の説明により明らかになり、又は本出願の実践により理解される。
【図面の簡単な説明】
【００２５】
本出願の上記及び/又は付加的な特徴及び利点は、図面を参照して実施例について以下に説明することにより、明らかになり、理解されやすくなる。
【図１】本出願の実施例の充電装置のテストボードのブロック概略図である。
【図２】本出願の一実施例の充電装置のテストボードのブロック概略図である。
【図３】本出願の別の実施例の充電装置のテストボードのブロック概略図である。
【図４】本出願のもう一つの実施例の充電装置のテストボードのブロック概略図である。
【図５】本出願の実施例の充電装置のテストシステムのブロック概略図である。
【図６】本出願の実施例の充電装置のテスト方法の概略フローチャートである。
【発明を実施するための形態】
【００２６】
以下、本出願の実施例を詳細に説明する。前記実施例における例が図面に示され、同一又は類似する符号は、常に同一又は類似する素子、或いは、同一又は類似する機能を有する素子を示す。以下に、図面を参照しながら説明される実施例は例示的なものであり、本出願を解釈するためだけに用いられ、本出願を限定するものと理解してはいけない。
【００２７】
以下、図面を参照して本出願の実施例の充電装置のテストボード、テストシステム及びテスト方法を説明し、当該充電装置のテストボード、テストシステム及びテスト方法は、充電装置をテストするために用いられる。
【００２８】
本出願の実施例において、充電装置は、電子機器に充電するために使用されることができる。電子機器は、端末を指すことができ、当該「端末」は、スマートフォン、コンピュータ、パーソナルデジタルアシスタント（ｐｅｒｓｏｎａｌ  ｄｉｇｉｔａｌ  ａｓｓｉｓｔａｎｔ、ＰＤＡ）、ウェアラブルデバイス、ブルートゥースヘッドセット、ゲーム機器、撮像デバイスなどを含むことができるが、これらに限定されない。充電装置は、アダプタ、モバイル電源（モバイルバッテリ）、車載充電器などの端末に充電する機能を有する機器であってもよい。アダプタを例として、充電装置は、ＶＯＯＣアダプタであってもよく、ＶＯＯＣアダプタの充電回路は、充電インターフェースを介して電子機器のバッテリに直接に接続することができる。
【００２９】
充電装置の安全性と信頼性とを確保するために、充電装置は、通常、過電圧過電流過熱の保護、回路インピーダンス異常の保護、スイッチングトランジスタ異常の保護などの、安全保護機構が設けられていることが理解されたい。これにより、実際の使用中に、充電装置に何らかの異常状態が発生すると、充電装置は保護状態に進入する。
【００３０】
このために、本出願の実施例の充電装置のテストシステムは、テストボードを介して電子機器の状態をシミュレーションし、充電装置とリアルタイムで通信し、意図的に異常状態を作成し、充電装置の状態をリアルタイムでモニタリングし、充電装置が異常時に対応する保護状態に進入したか否かを判断することによって、各保護機能の有效性を検証する。
【００３１】
以下、図１〜４を参照して本出願の実施例の充電装置のテストボードを詳細に説明する。
【００３２】
図１に示すように、本出願の実施例の充電装置のテストボード１００は、接続回路１０と、第１の通信モジュール２０と、第２の通信モジュール３０と、制御モジュール４０とを含む。
【００３３】
接続回路１０は、充電装置２００と負荷モジュール３００とにそれぞれ接続され、充電装置２００は、接続回路１０を介して、負荷モジュール３００とテスト回路を形成する。すなわち、充電装置２００によって出力される電流は、テストボード２０の接続回路１０を介して負荷モジュール３００に流れ、電流方向は、図１の矢印方向に示される。
【００３４】
第１の通信モジュール２０は上位コンピュータ４００と通信し、第２の通信モジュール３０は充電装置２００と通信し、制御モジュール４０は、第１の通信モジュール２０と第２の通信モジュール３０とに接続される。つまり、制御モジュール４０は、第１の通信モジュール２０を介して、上位コンピュータ４００によって送信された情報を受信することができ、上位コンピュータ４００に情報を送信することもでき、同様に、制御モジュール４０は、第２の通信モジュール３０を介して充電装置２００によって送信された情報を受信することができ、充電装置２００に情報を送信することもできる。
【００３５】
なお、負荷モジュール１０は、バッテリなしの負荷であってもよく、テストボード２０は、負荷モジュール１０と結合して電子機器の状態をシミュレーションすることができ、例えば、テストボード２０を介して電子機器の急速充電中のバッテリの状態をシミュレーションし、バッテリの状態は、バッテリ電流、バッテリ電圧などを含み、その後、テストボード２０は、シミュレーションされたバッテリ状態を充電装置３０に再び報告し、充電装置３０は、テストボード２０によって報告されたバッテリ状態に基づいて充電プロセスをシミュレーションすることができる。
【００３６】
テスト中に、制御モジュール４０は、第１の通信モジュール２０を介して上位コンピュータ４００によって送信された命令情報を受信し、命令情報に基づいて対応するテスト命令を生成して、テストボード１００又は充電装置２００が命令をテストするようにすることができる。
【００３７】
一例として、上位コンピュータ４００は、テストボード１００に命令情報を送信することができ、当該命令情報は、現在のテストタイプを指示するために用いられ、例えば、現在のテストタイプは、過電圧テスト、過熱テスト、回路インピーダンステストなどを含むことができる。制御モジュール４０は、第１の通信モジュール２０を介して上位コンピュータ４００によって送信された命令情報を受信し、命令情報に基づいて現在のテストタイプを決定し、現在のテストタイプに基づいて対応するテスト命令を生成する。その後、生成されたテスト命令の実行主体を決定し、例えば、当該テスト命令の実行主体が充電装置２００である場合、制御モジュール４０は、第２の通信モジュール３０を介して充電装置２００にテスト命令を送信することができ、充電装置がテストタイプに対応するテストを実現するように、充電装置２００当該テスト命令を実行し、また、当該テスト命令の実行主体がテストボード１００である場合、制御モジュール４０は、充電装置がテストタイプに対応するテストを実現するように、当該テスト命令を直接に実行することができる。
【００３８】
これにより、自動テストを実現することができ、操作が簡単になり、時間と労力が節約され、テスト全体に係る時間を短縮することができる。
【００３９】
充電装置２００に対して複数のテストが必要な場合、上位コンピュータ４００は、設定されたテストタイミングシーケンスによって、順次に複数の命令情報を送信することができ、テストボード１００は、命令情報を受信したごとに、受信された命令情報に基づいて対応するテスト命令を生成して、対応するテストに基づいてテストすることができることを理解されたい。また、現在のテストが完了した後、上位コンピュータ４００は、自動的に又はユーザが入力した命令に基づいて次の命令情報を送信することができる。これにより、テスト全体を自動的に実現することができ、時間と労力が節約され、テスト全体に係る時間を短縮することができる。
【００４０】
本出願のいくつかの実施例では、テストボード１００又は充電装置１００がテスト命令を実行した後、制御モジュール４０は、さらに、充電装置２００の状態情報を取得し、充電装置２００の状態情報に基づいてテスト結果のテスト結果を決定し、及び上位コンピュータ４００にテスト結果を送信するために用いられる。
【００４１】
本出願のいくつかの実施例では、テストボード１００又は充電装置２００がテスト命令を実行した後、制御モジュール４０は、さらに、充電装置２００の状態情報を取得し、上位コンピュータ４００に充電装置２００の状態情報を送信して、上位コンピュータ４００が充電装置２００の状態情報に基づいてテスト結果を決定するようにするために用いられる。
【００４２】
一例として、充電装置２００の状態情報は、保護状態などの作動状態信号と、出力電圧、出力電流などの出力状態情報と、を含むことができる。
【００４３】
具体的には、テストボード１００がテスト命令を実行する場合、テスト命令に基づいて指示された異常状態をシミュレーションし、充電装置２００の作動状態情報を採集し、作動状態情報は、充電装置４０が保護状態に進入したか否かを示すものである。
【００４４】
上位コンピュータ４００は、テストボード１００に命令情報を送信することができ、命令情報はテストタイプを指示することができ、テストボード１００の制御モジュール４０は、第２の通信モジュール３０を介して命令情報を受信した後、受信された命令情報に基づいて対応するテスト命令を生成することができ、その後、制御モジュール４０は、当該テスト命令を実行して、当該テスト命令に基づいて指示された異常状態をシミュレーションすることができ、充電装置２００は、接続回路１０を介して、負荷モジュール３００とテスト回路を形成するため、充電装置２００は、当該異常状態を検出して、当該異常状態の保護機能が正常な場合に保護状態に進入することができることを理解されたい。
【００４５】
次に、テストボード１００は、第２の通信モジュール３０を介して充電装置２００の作動状態情報、すなわち充電装置２００が保護状態に進入したか否かの情報を受信する。テストボード１００は、自身で作動状態情報に基づいて充電装置２００が保護状態に進入したか否かを判断したり、又は作動状態情報を上位コンピュータ４００に送信し、上位コンピュータ４００によって充電装置２００が保護状態に進入したか否かを判断したりすることができる。充電装置が保護状態に進入した場合、充電装置は、当該異常保護機能を有するか、又は当該異常保護機能が有效であるかを確認し、充電装置が保護状態に進入してない場合、充電装置は、当該異常保護機能を有していないか、又は当該異常保護機能が失効であるかを確認する。
【００４６】
一例として、充電装置２００から負荷モジュール３００への回路インピーダンスの保護機能テストを例とすると、回路インピーダンス保護機能テストする場合、制御モジュール４０は、テスト命令に基づいて回路インピーダンス異常状態をシミュレーションすることができ、すなわち制御モジュール４０は、充電装置２００にテストバッテリ電圧ＶＢＡＴを送信することができ、充電装置２００は、テストボード１００によって報告されたテストバッテリ電圧ＶＢＡＴを受信することができ、テストバッテリ電圧ＶＢＡＴに基づいて充電装置２００から負荷モジュール３００への回路インピーダンスを算出し、充電装置２００から負荷モジュール３００への回路インピーダンスに基づいて充電装置２００の作動状態（正常作動状態、保護状態などを含むが、これらに限定しない）を制御する。すなわち、回路インピーダンスが予め設定されたインピーダンスより大きい場合、充電装置２００は保護状態に進入し、回路インピーダンスが予め設定されたインピーダンス以上である場合、充電装置２００は正常作動状態にある。
【００４７】
このとき、テストボード１００は、第２の通信モジュール３０を介して充電装置２００の作動状態を取得し、自身で作動状態情報に基づいて充電装置２００が保護状態に進入したか否かを判断したり、又は作動状態情報を上位コンピュータ４００に送信し、上位コンピュータ４００によって充電装置２００が保護状態に進入したか否かを判断したりする。充電装置が保護状態に進入する場合、テストボード１００又は上位コンピュータ４００は、充電装置が回路インピーダンス保護機能を有するか、又は回路インピーダンス保護機能が有效であるかを確認し、充電装置が保護状態に進入してない場合、テストボード１００又は上位コンピュータ４００は、充電装置が回路インピーダンス保護機能を有していないか、又は回路インピーダンス保護機能が失効であるかを確認する。
【００４８】
なお、充電装置２００は、充電装置２００の充電電圧、テストボード１００によって報告されたテストバッテリ電圧ＶＢＡＴ、充電装置２００の充電電流に基づいて充電装置２００から負荷モジュール３００への回路インピーダンスを算出することができる。すなわち、充電装置３０は、以下の式に基づいて充電装置３０から負荷モジュール１０への回路インピーダンスを算出することができる。
Ｒ＝（ＶＢＵＳ−ＶＢＡＴ）／Ｉ
Ｒは充電装置３０から負荷モジュール１０への回路インピーダンスであり、ＶＢＵＳは充電装置３０の充電電圧であり、ＶＢＡＴはテストボード２０によって報告されたテストバッテリ電圧であり、Ｉは充電装置３０の充電電流である。
【００４９】
また、制御モジュール４０は、テストボードにおける電圧をサンプリングし、テストボードにおける電圧Ｖ−ＡＤＣ、アナログインピーダンス増加値△Ｒ、充電装置３０の充電電流Ｉに基づいて、テストバッテリ電圧ＶＢＡＴを算出することができる。アナログインピーダンス増加値△Ｒは、予め設定されたインピーダンス以上である。すなわち、制御モジュール４０は、以下の式に基づいてテストバッテリ電圧を算出することができる。
ＶＢＡＴ＝Ｖ−ＡＤＣ−△Ｒ＊Ｉ
ＶＢＡＴはテストバッテリ電圧であり、Ｖ−ＡＤＣはテストボード２０における電圧であり、△Ｒはアナログインピーダンス増加値であり、Ｉは充電装置３０の充電電流である。
【００５０】
具体的には、充電装置２００がテスト命令を実行する場合、制御装置４０は、第２の通信モジュール３０を介して充電装置２００にテスト命令を送信し、充電装置２００の出力状態情報を採集し、出力状態情報は、充電装置２００テスト命令に基づいて作動する際の出力状態を指示するために用いられる。
【００５１】
上位コンピュータ４００は、テストボード１００に命令情報を送信することができ、命令情報はテストタイプを指示することができ、テストボード１００の制御モジュール４０は、第２の通信モジュール３０を介して命令情報を受信した後、受信された命令情報に基づいて対応するテスト命令を生成することができ、その後、制御モジュール４０は、第２の通信モジュール３０を介して充電装置２００に当該テスト命令を送信することができ、充電装置２００は、当該テスト命令を実行して、あるテスト状態に進入することができることを理解されたい。
【００５２】
次に、テストボード１００は、第２の通信モジュール３０を介して、充電装置２００の出力電圧、出力電流などの充電装置２００の出力状態情報を受信することができる。テストボード１００は、自身で出力状態情報に基づいて充電装置２００の出力状態情報がテスト要求を満たすか否かを判断したり、又は出力状態情報を上位コンピュータ４００に送信して、上位コンピュータ４００によって充電装置２００の出力状態情報がテスト要求を満たすか否かを判断したりすることができる。
【００５３】
一例として、消費電力テストを例とすると、消費電力テストする場合、制御モジュール４０は、充電装置２００にテスト命令を送信することができ、充電装置２００は、テスト命令に基づいてあるテストシーンに進入することができ、テストボード１００は、第２の通信モジュール３０を介して、電圧電流などの充電装置２００の出力状態を取得することができる。テストボード１００は、自身で出力状態情報に基づいて、充電装置２００が消費電力テスト要求を満たすか否かを判断したり、又は出力状態情報を上位コンピュータ４００に送信して、上位コンピュータ４００によって消費電力テスト要求を満たすか否かを判断したりすることができる。
【００５４】
以下、テストボード２００の具体的な構造を説明する。
【００５５】
図２乃至４に示すように、接続回路１０は、第１の電源線１０１と第２の電源線１０２とを含むことができる。
【００５６】
また、充電装置２００は電源線を有することができ、充電装置２００は、電源線を介して外部に電気エネルギーを出力することができ、例えば、電子機器のバッテリに充電したり、又は負荷モジュール３００に電気エネルギーを伝送したりする。具体的には、充電装置２００の電源線は、正の電源線３０１ａと負の電源線３０１ｂとを含むことができる。その中、第１の電源線１０１は、一端が負荷モジュール３００の正極に接続され、他端が充電装置２００の正の電源線３０１ａに接続され、第２の電源線１０２は、一端が負荷モジュール３００の負極に接続され、他端が充電装置２００の負の電源線３０１ｂに接続される。
【００５７】
正の電源線３０１ａは、充電装置２００の充電回路３０３の正出力端＋に接続されることもでき、負の電源線３０１ｂは、充電装置２００の充電回路３０３の負出力端−に接続されることもできる。
【００５８】
電流は、充電装置２００の充電回路３０３の正出力端＋から流出し、順次に正の電源線３０１ａと第１の電源線１０１を通過して負荷モジュール３００の正極に流入し、その後、負荷モジュール３００の正極から流出し、順次に第２の電源線１０２と負の電源線３０１ｂを通過して充電装置２００の充電回路３０３の負出力端−に流れることを理解されたい。
【００５９】
一例として、充電装置２００が電子機器に接続される場合、正の電源線３０１ａと負の電源線３０１ｂは、バッテリの正極と負極にそれぞれ接続されて、電子機器のバッテリに充電することができる。
【００６０】
図４によれば、接続回路１０はスイッチングトランジスタ１０３をさらに含み、スイッチングトランジスタ１０３は、第１の電源線１０１又は第２の電源線１０２に接続され、制御モジュール４０は、スイッチングトランジスタ１０３の制御電極に接続され、制御モジュール４０は、スイッチングトランジスタ１０３のオン又はオフを制御することによって充電装置２００から負荷モジュール３００へのテスト回路のオン又はオフを制御する。
【００６１】
スイッチングトランジスタ１０３がオンになる場合、充電装置２００から負荷モジュール１００へのテスト回路はオンになり、充電装置２００は、負荷モジュール３００に電気エネルギーを出力し、スイッチングトランジスタ１０３がオフになる場合、充電装置２００から負荷モジュール３００へのテスト回路は遮断され、充電装置２００は、負荷モジュール３００に電気エネルギーを出力することを停止することを理解されたい。
【００６２】
制御モジュール４０は、スイッチングトランジスタ１０３の制御電極に接続され、充電装置２００がテストする場合、スイッチングトランジスタ１０３は、制御モジュール４０の制御でオンになることができる。スイッチングトランジスタ４０は、ＭＯＳトランジスタ又は三極管であってもよい。制御モジュール４０は、ＭＣＵ（Ｍｉｃｒｏ−ｃｏｎｔｒｏｌｌｅｒ  Ｕｎｉｔ、マイクロ制御ユニット）であってもよい。
【００６３】
具体的には、ＭＯＳトランジスタを例として、ＭＯＳトランジスタは、第１の電源線１０１に配置され、ＭＯＳトランジスタのドレインは、充電装置２００の近くに設置することができ、ＭＯＳトランジスタのソースは、充電装置２００から離れて設置することができる。
【００６４】
図４によれば、接続回路４０は、第１の電源線１０１又は第２の電源線１０２に直列に接続されるサンプリング抵抗Ｒ１をさらに含むことができ、サンプリング抵抗Ｒ１の両端は、制御モジュール４０にも接続される。つまり、制御モジュール４０は、サンプリング抵抗Ｒ１を介して第１の電源線１０１又は第２の電源線１０２上の電流をサンプリングすることができ、制御モジュール４０は、当該電流をテスト回路の電流とすることによって、当該電流に基づいて充電装置２００を制御してもよいし、電流が予め設定された電流より大きい時にスイッチングトランジスタ１０３を制御することによって、過電流保護を実現してもよい。
【００６５】
本出願のいくつかの実施例では、負荷モジュール３００は、電子負荷又はプログラム電源であってもよい。その中、電子負荷は、定電流モード又は定電圧モードになることができる。プログラマブル電源は、負荷とするともに、外部へ電力を供給することができる。
【００６６】
具体的には、負荷モジュール３００が電子負荷である場合、制御モジュール４０は、外部電源５０に接続されて、外部電源５０が制御モジュール４０に電力を供給するようにすることができる。負荷モジュール３００がプログラム電源である場合、プログラマブル電源は、さらに、制御モジュール４０に電力を供給する。
【００６７】
つまり、テストボード１００の給電は、外部へ電力を供給するか、又は負荷モジュール３００のプログラマブル電源として使用して電力を供給することによって、充電装置２００保護状態に進入した後、電源の出力を閉じた後、制御モジュール４０がパワーダウンすることを防止する。
【００６８】
本出願の一実施例では、図４に示すように、第２の通信モジュール３０は、第１の通信線１０５を介して充電装置２００と通信することができ、第１の通信線１０５、第１の電源線１０１、第２の電源線１０２は、同一のケーブルに設けられることができる。当該ケーブルは、ＵＳＢケーブル又はＴｙｐｅ−ｃケーブルであってもよく、これにより、充電装置とテストボードとの間の接続を実現するのが容易になる。
【００６９】
本出願の一実施例では、図４に示すように、第１の通信モジュール２０は、通信ケーブルを介して上位コンピュータ４００と通信することができ、当該通信ケーブルは、シリアル通信ケーブルであってもよく、すなわち、上位コンピュータ４００とテストボード１００との間でシリアル通信を行うことができる。
【００７０】
要約すると、本出願の実施例によって提供される充電装置のテストボードによれば、充電装置は、接続回路を介して、負荷モジュールとテスト回路を形成し、制御モジュールは、第１の通信モジュールを介して上位コンピュータと通信し、第２の通信モジュールを介して充電装置と通信し、制御モジュールは、第１の通信モジュールを介して上位コンピュータによって送信された命令情報を受信し、テストボード又は充電装置がテスト命令を実行するように、命令情報に基づいて対応するテスト命令を生成することによって、自動テストを実現することができ、操作が簡単になり、時間と労力が節約され、テスト全体に係る時間を短縮することができる。
【００７１】
上記の実施例に基づいて、本出願は、テストシステムをさらに提供する。
【００７２】
図５は、本出願の実施例によるテストシステムのブロック概略図である。図５に示すように、テストシステムは、負荷モジュール３００と、前述の実施例のテストボード１００と、充電装置２００と、上位コンピュータ４００と、を含む。
【００７３】
充電装置２００は、テストボード１００を介して、負荷モジュール３００とテスト回路を形成し、充電装置２００は、さらに、テストボード１００と通信し、上位コンピュータ４００は、テストボード１００と通信する。
【００７４】
本出願の実施例によって提供される充電装置のテストシステムによれば、自動テストを実現することができ、操作が簡単になり、時間と労力が節約され、テスト全体に係る時間を短縮することができる。
【００７５】
前述の実施例の充電装置のテストボードに対応して、本出願は、充電装置のテスト方法をさらに提供する。
【００７６】
図６は、本出願の実施例によって提供される充電装置のテスト方法の概略フローチャートである。当該テスト方法は、テストボードに適用され、充電装置は、テストボードを介して、負荷モジュールとテスト回路を形成し、テストボードは、第１の通信モジュールを介して上位コンピュータと通信し、さらに、第２の通信モジュールを介して充電装置と通信する。図６に示すように、本出願の実施例の充電装置のテスト方法は、以下のようなステップを含む。
ステップＳ１：上位コンピュータによって送信された命令情報を受信する。
ステップＳ２：テストボード又は充電装置がテスト命令を実行するように、命令情報に基づいて対応するテスト命令を生成する。
【００７７】
本出願の一実施例によれば、テストボード又は充電装置がテスト命令を実行した後、充電装置の状態情報を取得するステップと、充電装置の状態情報テスト命令に基づいてのテスト結果を決定するステップと、上位コンピュータにテスト結果を送信するステップと、をさらに含む。
【００７８】
本出願の一実施例によれば、テストボード又は充電装置がテスト命令を実行した後、充電装置の状態情報を取得するステップと、上位コンピュータが充電装置の状態情報テスト命令に基づいてのテスト結果を決定するように、上位コンピュータに充電装置の状態情報を送信するステップと、をさらに含む。
【００７９】
本出願の一実施例によれば、テストボードがテスト命令を実行する場合、方法は、テスト命令に基づいて指示された異常状態をシミュレーションし、充電装置の作動状態情報を採集するステップをさらに含み、作動状態情報は、充電装置が保護状態に進入したか否かを指示するために用いられる。
【００８０】
本出願の一実施例によれば、充電装置テスト命令を実行する場合、方法は、充電装置にテスト命令を送信し、充電装置の出力状態情報を採集するステップをさらに含み、出力状態情報は、充電装置がテスト命令に基づいて作動する際の出力状態を指示するために用いられる。
【００８１】
なお、前述の充電装置のテストボード実施例に対する説明は、当該実施例の充電装置のテスト方法にも適用することができ、ここでは再度説明しない。
【００８２】
要約すると、本出願の実施例によって提供される充電装置のテスト方法によれば、充電装置は、接続回路を介して、負荷モジュールとテスト回路を形成し、テストボードは、上位コンピュータと通信し、さらに、充電装置と通信し、テストボードは、上位コンピュータによって送信された命令情報を受信し、テストボード又は充電装置がテスト命令を実行するように、命令情報に基づいて対応するテスト命令を生成することによって、自動テストを実現することができ、操作が簡単になり、時間と労力が節約され、テスト全体に係る時間を短縮することができる。
【００８３】
当業者は、以下のことを意識することができる。本出願に開示されている実施例に組み合わせて説明された各例のユニット及アルゴリズムステップは、電子ハードウェア、またはコンピュータソフトウェアと電子ハードウェアとの結合によって実現することができる。これらの機能が一体ハードウェア、それともソフトウェアの方式によって実行されるのかは、技術案の特定応用及び設計拘束条件によるものである。当業者は、各特定の応用に対して、説明された機能を異なる方法で実現することができ、このような実現は、本出願の範囲を超えたと考えてはいけない。
【００８４】
説明上の便利と簡潔で、上記説明されたシステム、装置及びユニットの具体的な作業プロセスは、前述の方法実施例における対応する過程を参照することができるため、ここで説明を省略する。これは当業者に明白に理解されるべきである。
【００８５】
本出願によって提供されるいくつかの実施例において、開示されているシステムと、装置と、方法とは、他の方式によって実現することができる。例えば、上記装置の実施例は、概略的なものだけである。例えば、前記ユニットの区分は、ロジック機能の区分だけである。実際に実現する時に、他の区分方式を有することができる。例えば、複数のユニットまたはコンポーネントは、結合することができる、または他のシステムに集積することができ、または一部の特徴を無視することができ、または実行しないことができる。一方、示されたまたは論議された相互間の結合または直接結合または通信接続は、一部のインターフェイスを介して、装置またはユニットの間接結合または通信接続であってもよく、電気的、機械的または他の形式であってもよい。
【００８６】
分離部品として説明された前記ユニットは、物理上に分離してもよいし、物理上に分離しなくてもよい。ユニットとして示された部品は、物理的なユニットであってもよいし、物理的なユニットでなくてもよい。即ち、一つの場所にあってもよいし、または複数のネットワークユニットに分布されてもよい。必要に応じて、そのうちの一部または全部のユニットを選択して本実施例の技術案の目的を実現することができる。
【００８７】
また、本出願の各実施例においての各機能ユニットは、一つの処理ユニットに集められてもよいが、各ユニットが独立な物理存在であってもよく、二つ以上のユニットが一つのユニットに集めてもよい。
【００８８】
前記機能はソフトウェア機能ユニットの形で実現され独立な商品として販売又は使用される際、一つのコンピュータ読取可能媒体中に記憶されることはできる。このような理解に基づいて、本出願の技術案は本質上、又は従来技術に貢献する部分又は当該技術案の部分がソフトウェア商品の形で現れる事ができ、当該コンピュータ・ソフトウェア商品が一つの記憶媒体に記憶され、若干の命令を含むことで一台のコンピュータ装置（パーソナル・コンピュータや、サーバー、又はネット装置等）に本出願の各実施例の前記方法の全部又は一部のステップを実行させる。前記の記憶媒体は、Ｕディスクと、リムーバブルハードディスクと、読み出し専用メモリ（ＲＯＭ，Ｒｅａｄ−ＯｎｌｙＭｅｍｏｒｙ）と、ランダムアクセスメモリ（ＲＡＭ，ＲａｎｄｏｍＡｃｃｅｓｓＭｅｍｏｒｙ）と、ディスクまたはＣＤ等様々なプログラムコードを記憶できる媒体を含む。
【００８９】
以上の記載は、本出願の実施形態に過ぎなく、本出願の保護範囲はこれに限定されない。当分野に詳しい全ての当業者が本出願に開示された技術範囲内で容易に想到する変化または取り替えは、本出願の保護範囲に含まれるべきである。従って、本出願の保護範囲はその特許請求の範囲に準ずるべきである。
【手続補正２】
【補正対象書類名】特許請求の範囲
【補正対象項目名】全文
【補正方法】変更
【補正の内容】
【特許請求の範囲】
【請求項１】
充電装置のテストボードであって、
充電装置と負荷モジュールとにそれぞれ接続される接続回路であって、前記充電装置が前記接続回路を介して前記負荷モジュールとテスト回路を形成するようにする接続回路と、
上位コンピュータと通信する第１の通信モジュールと、
前記充電装置と通信する第２の通信モジュールと、
前記第１の通信モジュールと第２の通信モジュールとに接続され、前記第１の通信モジュールを介して前記上位コンピュータによって送信された命令情報を受信し、前記テストボード又は前記充電装置がテスト命令を実行するように、前記命令情報に基づいて対応する前記テスト命令を生成する制御モジュールと、を含む、
ことを特徴とする充電装置のテストボード。
【請求項２】
前記テストボード又は前記充電装置が前記テスト命令を実行した後、前記制御モジュールは、前記充電装置の状態情報を取得し、前記充電装置の状態情報に基づいて前記テスト命令のテスト結果を決定し、前記上位コンピュータに前記テスト結果を送信する、
ことを特徴とする請求項１に記載の充電装置のテストボード。
【請求項３】
前記テストボード又は前記充電装置が前記テスト命令を実行した後、前記制御モジュールは、前記充電装置の状態情報を取得し、前記上位コンピュータが前記充電装置の状態情報に基づいて前記テスト命令のテスト結果を決定するように、前記上位コンピュータに前記充電装置の状態情報を送信する、
ことを特徴とする請求項１に記載の充電装置のテストボード。
【請求項４】
前記テストボードが前記テスト命令を実行する場合、前記テスト命令に基づいて指示された異常状態を実行し、前記充電装置の作動状態情報を採集し、前記作動状態情報は、前記充電装置が保護状態に進入したか否かを示すものである、
ことを特徴とする請求項１に記載の充電装置のテストボード。
【請求項５】
前記充電装置が前記テスト命令を実行する場合、前記制御装置は、前記第２の通信モジュールを介して前記充電装置に前記テスト命令を送信し、前記充電装置の出力状態情報を採集し、前記出力状態情報は、前記充電装置が前記テスト命令に基づいて作動する際の出力状態を示すものである、
ことを特徴とする請求項１に記載の充電装置のテストボード。
【請求項６】
前記接続回路は、第１の電源線と第２の電源線とを含み、
前記第１の電源線は、一端が前記負荷モジュールの正極に接続され、他端が前記充電装置の正の電源線に接続され、
前記第２の電源線は、一端が前記負荷モジュールの負極に接続され、他端が前記充電装置の負の電源線に接続される、
ことを特徴とする請求項１に記載の充電装置のテストボード。
【請求項７】
前記接続回路は、前記第１の電源線又は前記第２の電源線に接続されるスイッチングトランジスタをさらに含み、前記スイッチングトランジスタの制御電極は、前記制御モジュールに接続され、前記制御モジュールは、スイッチングトランジスタのオン又はオフを制御することによって前記充電装置から前記負荷モジュールへのテスト回路のオン又はオフを制御する、
ことを特徴とする請求項６に記載の充電装置のテストボード。
【請求項８】
前記接続回路は、前記第１の電源線又は前記第２の電源線に直列接続されるサンプリング抵抗をさらに含み、前記サンプリング抵抗の両端は、前記制御モジュールにさらに接続される、
ことを特徴とする請求項６に記載の充電装置のテストボード。
【請求項９】
前記負荷モジュールは電子負荷を含み、
前記制御モジュールは外部電源に接続されるように構成され、前記外部電源が前記制御モジュールに電力を供給する、
ことを特徴とする請求項１に記載の充電装置のテストボード。
【請求項１０】
前記負荷モジュールはプログラマブル電源であり、前記プログラマブル電源はさらに前記制御モジュールに電力を供給する、
ことを特徴とする請求項１に記載の充電装置のテストボード。
【請求項１１】
前記第２の通信モジュールは、第１の通信線を介して前記充電装置と通信し、前記第１の通信線と、前記第１の電源線と、前記第２の電源線とは、同一のケーブルに設けられる、
ことを特徴とする請求項６に記載の充電装置のテストボード。
【請求項１２】
テストシステムであって、
負荷モジュールと、
テストボードと、
前記テストボードを介して前記負荷モジュールとテスト回路を形成し、さらに前記テストボードと通信する充電装置と、
前記テストボードと通信する上位コンピュータと、を含み、
前記テストボードは、前記上位コンピュータによって送信された命令情報を受信し、前記命令情報に基づいてテスト命令を生成することで、前記テストボード又は前記充電装置が前記テスト命令を実行する、
ことを特徴とするテストシステム。
【請求項１３】
テストボードに適用される充電装置のテスト方法であって、
前記テストボードを介して、充電装置と負荷モジュールとの間でテスト回路を形成するステップと、
前記テストボードが上位コンピュータによって送信された命令情報を受信するステップと、
前記テストボードが前記命令情報に基づいてテスト命令を生成するステップと、
前記テストボード又は前記充電装置がテスト命令を実行するステップと、
を含む、
ことを特徴とする充電装置のテスト方法。
【請求項１４】
前記テストボード又は前記充電装置が前記テスト命令を実行するステップの後、
前記テストボードが前記充電装置の状態情報を取得するステップと、
前記テストボードが前記充電装置の状態情報に基づいて前記テスト命令のテスト結果を決定するステップと、
前記テストボードが前記上位コンピュータに前記テスト結果を送信するステップと、をさらに含む、
ことを特徴とする請求項１３に記載の充電装置のテスト方法。
【請求項１５】
前記テストボード又は前記充電装置が前記テスト命令を実行するステップの後、
前記テストボードが前記充電装置の状態情報を取得するステップと、
前記テストボードが前記上位コンピュータに前記充電装置の状態情報を送信するステップと、
前記上位コンピュータが前記充電装置の状態情報に基づいて前記テスト命令のテスト結果を決定するステップと、
をさらに含む、
ことを特徴とする請求項１３に記載の充電装置のテスト方法。
【国際調査報告】
2021502042.tif 000009
2021502042.tif 000010
2021502042.tif 000011
2021502042.tif 000012